(57)【要約】【課題】  自動車で目的地に行く際に、簡単な構成で、目的地近辺の駐車場の位置を手軽に入手できる駐車場検索システムを提供する。【解決手段】  行先の需要家Ｈ１〜Ｈｎの契約番号に対して当該需要家宅Ｈ１〜Ｈｎに引込線を接続している電柱Ｄ１〜Ｄｎの電柱番号が記憶された契約情報データベース３１と、電柱Ｄ１〜Ｄｎの位置と駐車場Ｐ１〜Ｐｎの位置とを含む位置情報を記憶した位置情報データベース３２と、入力された契約番号に対応する電柱番号を契約情報データベース３１から検索し、当該電柱番号の電柱Ｄ１〜Ｄｎから所定範囲内に位置する駐車場Ｐ１〜Ｐｎを位置情報データベース３２から検索する検索プログラム３６とを備える。【選択図】  図１
2008090364.tif 000002
【特許請求の範囲】
【請求項１】
自動車で目的地に行く際に、目的地近辺の駐車場を検索する駐車場検索システムであって、
目的地の識別情報に対して、当該目的地に引込線を接続している引込柱の引込柱番号が割り当てられ、
引込柱の位置と駐車場の位置とを含む位置情報を記憶した位置情報データベースと、
入力された識別情報に基づいて、当該識別情報に対応する前記引込柱番号の引込柱から所定範囲内に位置する駐車場を前記位置情報データベースから検索する検索手段と、
を備えることを特徴とする駐車場検索システム。
【請求項２】
前記検索手段は、駐車場を検索するまで前記所定範囲を順次拡大していくことを特徴とする請求項１に記載の駐車場検索システム。
【請求項３】
前記検索手段は、駐車場を検索するまで前記引込柱を順次移して当該引込柱から所定範囲内に位置する駐車場を検索することを特徴とする請求項１に記載の駐車場検索システム。
【請求項４】
前記駐車場の空車時間帯や満車時間帯を記憶した第１の駐車データベースを備え、
前記検索手段は、入力された駐車希望時間と前記第１の駐車データベースとに基づいて、前記駐車希望時間に駐車可能な駐車場を検索することを特徴とする請求項１〜３のいずれか１項に記載の駐車場検索システム。
【請求項５】
前記自動車が、当該自動車の位置を検出する位置検出手段と、駐車情報サーバと通信するための通信手段とを備え、
前記自動車が駐車場に駐車すると、前記位置検出手段によって検出された当該自動車の位置と駐車時間とを、前記通信手段によって前記駐車情報サーバに送信し、
前記駐車情報サーバは、受信した前記自動車の位置と駐車時間とに基づいて、前記第１の駐車データベースを追加、更新することを特徴とする請求項４に記載の駐車場検索システム。
【請求項６】
前記駐車場に駐車可能な自動車の種類を記憶した第２の駐車データベースを備え、
前記検索手段は、入力された自動車の種類と前記第２の駐車データベースとに基づいて、当該自動車が駐車可能な駐車場を検索することを特徴とする請求項１〜５のいずれか１項に記載の駐車場検索システム。
【請求項７】
前記検索手段によって検索された駐車場の位置を地図上に表示する位置表示手段を備えることを特徴とする請求項１〜６のいずれか１項に記載の駐車場検索システム。
【請求項８】
自動車で目的地に行く際に、目的地近辺の駐車場を検索する駐車場検索プログラムであって、コンピュータを、
目的地の識別情報に対して、当該目的地に引込線を接続している引込柱の引込柱番号が記憶された目的地情報記憶部と、
引込柱の位置と駐車場の位置とを含む位置情報を記憶した位置情報データベースと、
入力された識別情報に対応する引込柱番号を前記目的地情報記憶部から検索し、当該引込柱番号の引込柱から所定範囲内に位置する駐車場を前記位置情報データベースから検索する検索手段として機能させるための駐車場検索プログラム。
【発明の詳細な説明】
【技術分野】
【０００１】
本発明は、自動車で目的地に行く際に、目的地近辺の駐車場を検索する駐車場検索システムおよび駐車場検索プログラムに関する。
【背景技術】
【０００２】
例えば、電力会社や通信事業社の作業員などが需要家宅（目的地）を訪問する場合、作業者が需要家宅近辺の地理に慣れていないと、現地で駐車場を探す必要があり、駐車までに時間を要し、需要家宅への訪問にも長時間を要することになる。このため、目的地近辺における駐車場を検索する駐車場情報検索システムが知られている（例えば、特許文献１参照。）。この駐車場情報検索システムは、携帯電話と、地域管理サーバと、駐車場情報サーバと、駐車場管理ＰＣなどを備える。携帯電話は、目的地の位置情報、駐車場の検索条件を地域管理サーバへ送り、地域管理サーバは、目的地の位置情報等から地域情報データベースを検索し目的地を含むエリアを担当する駐車場情報サーバを決定する。この駐車場情報サーバに検索条件を送ると、駐車場情報サーバは、駐車場情報データベースを検索し該当駐車場名およびその満空情報を抽出して地域管理サーバへ送る。そして、地域管理サーバは、受信した駐車場名および満空情報を携帯電話へ送り、携帯電話は、駐車場名および満空情報の一覧を表示する、というものである。
【特許文献１】特開２００１−３２５３７９号公報
【発明の開示】
【発明が解決しようとする課題】
【０００３】
ところで、上記特許文献１に記載されたような駐車場情報検索システムでは、携帯電話と、地域管理サーバと、駐車場情報サーバと、駐車場管理ＰＣなどを要し、システムが複雑であるとともに、携帯電話を所持していなければ駐車場を検索することができない。一方、電力会社の作業員などが需要家宅を訪問する場合、事前に需要家宅の所在位置を確認しており、その際に、需要家宅近辺の駐車場の位置を手軽に入手できるシステムが望まれていた。
【０００４】
そこで本発明は、自動車で目的地に行く際に、簡単な構成で、目的地近辺の駐車場の位置を手軽に入手できる駐車場検索システムおよび駐車場検索プログラムを提供することを目的とする。
【課題を解決するための手段】
【０００５】
上記目的を達成するために請求項１に記載の発明は、自動車で目的地に行く際に、目的地近辺の駐車場を検索する駐車場検索システムであって、目的地の識別情報に対して、当該目的地に引込線を接続している引込柱の引込柱番号が割り当てられ、引込柱の位置と駐車場の位置とを含む位置情報を記憶した位置情報データベースと、入力された識別情報に基づいて、当該識別情報に対応する前記引込柱番号の引込柱から所定範囲内に位置する駐車場を前記位置情報データベースから検索する検索手段と、を備えることを特徴としている。
（作用）
行先の目的地の識別情報を入力すると、検索手段によって、識別情報に対応する引込柱番号の引込柱から所定範囲内に位置する駐車場が位置情報データベースから検索される。つまり、目的地から所定範囲内に位置する駐車場が検索される。
【０００６】
請求項２に記載の発明は、請求項１に記載の駐車場検索システムにおいて、前記検索手段は、駐車場を検索するまで前記所定範囲を順次拡大していくことを特徴としている。
【０００７】
請求項３に記載の発明は、請求項１に記載の駐車場検索システムにおいて、前記検索手段は、駐車場を検索するまで前記引込柱を順次移して当該引込柱から所定範囲内に位置する駐車場を検索することを特徴としている。
【０００８】
請求項４に記載の発明は、請求項１〜３のいずれか１項に記載の駐車場検索システムにおいて、前記駐車場の空車時間帯や満車時間帯を記憶した第１の駐車データベースを備え、前記検索手段は、入力された駐車希望時間と前記第１の駐車データベースとに基づいて、前記駐車希望時間に駐車可能な駐車場を検索することを特徴としている。
（作用）
行先の目的地の識別情報と駐車希望時間とを入力すると、検索手段によって、第１の駐車データベースに記憶された各駐車場の空車時間帯や満車時間帯に基づいて、駐車希望時間に駐車可能な駐車場が検索される。
【０００９】
請求項５に記載の発明は、請求項４に記載の駐車場検索システムにおいて、前記自動車が、当該自動車の位置を検出する位置検出手段と、駐車情報サーバと通信するための通信手段とを備え、前記自動車が駐車場に駐車すると、前記位置検出手段によって検出された当該自動車の位置と駐車時間とを、前記通信手段によって前記駐車情報サーバに送信し、前記駐車情報サーバは、受信した前記自動車の位置と駐車時間とに基づいて、前記第１の駐車データベースを追加、更新することを特徴としている。
（作用）
自動車が駐車場に駐車するごとに、自動車の位置、つまり駐車場の位置と、駐車時間とに基づいて、第１の駐車データベース内の駐車場の空車時間帯や満車時間帯が追加、更新される。
【００１０】
請求項６に記載の発明は、請求項１〜５のいずれか１項に記載の駐車場検索システムにおいて、前記駐車場に駐車可能な自動車の種類を記憶した第２の駐車データベースを備え、前記検索手段は、入力された自動車の種類と前記第２の駐車データベースとに基づいて、当該自動車が駐車可能な駐車場を検索することを特徴としている。
（作用）
行先の目的地の識別情報と自動車の種類（大型、普通、小型など）とを入力すると、検索手段によって、第２の駐車データベースに記憶された各駐車場に駐車可能な自動車の種類に基づいて、当該自動車を駐車可能な駐車場が検索される。
【００１１】
請求項７に記載の発明は、請求項１〜６のいずれか１項に記載の駐車場検索システムにおいて、前記検索手段によって検索された駐車場の位置を地図上に表示する位置表示手段を備えることを特徴としている。
【００１２】
請求項８に記載の発明は、自動車で目的地に行く際に、目的地近辺の駐車場を検索する駐車場検索プログラムであって、コンピュータを、目的地の識別情報に対して、当該目的地に引込線を接続している引込柱の引込柱番号が記憶された目的地情報記憶部と、引込柱の位置と駐車場の位置とを含む位置情報を記憶した位置情報データベースと、入力された識別情報に対応する引込柱番号を前記目的地情報記憶部から検索し、当該引込柱番号の引込柱から所定範囲内に位置する駐車場を前記位置情報データベースから検索する検索手段として機能させるための駐車場検索プログラムである。
（作用）
行先の目的地の識別情報を入力すると、請求項１に記載の発明と同様に、目的地から所定範囲内に位置する駐車場が位置情報データベースから検索される。
【発明の効果】
【００１３】
請求項１および８に記載の発明によれば、行先の目的地の識別情報を入力することで、当該目的地から所定範囲内に位置する駐車場が検索される。このため、自動車で目的地に行く際に、目的地の識別情報を入力するだけで、目的地近辺の駐車場の位置を手軽に入手することができる。しかも、各種のサーバや携帯電話などを要しないため、簡単な構成となる。
【００１４】
請求項２に記載の発明によれば、駐車場が検索されるまで引込柱からの所定範囲を順次拡大して検索するため、引込柱から最も近い駐車場、つまり目的地から最も近い駐車場が検索される。このため、自動車で目的地に行く際には、目的地から最も近い駐車場を利用することが可能となる。
【００１５】
請求項３に記載の発明によれば、駐車場が検索されるまで引込柱を順次移して、引込柱から所定範囲内に位置する駐車場を検索するため、より効率的に駐車場を検索することが可能となる。すなわち、駐車場の近辺には、その駐車場に引込線を接続している引込柱が存在するため、検索基準地となる引込柱を順次移して（変えて）検索することで、効率的に検索することが可能となる。
【００１６】
請求項４に記載の発明によれば、駐車希望時間に駐車可能な駐車場が検索されるため、自動車で目的地に行く際には、駐車できる可能性がより高い駐車場の位置を入手することができる。
【００１７】
請求項５に記載の発明によれば、自動車が駐車場に駐車するごとに、第１の駐車データベースが追加、更新されるため、確実かつリアルタイムに第１の駐車データベース内の情報が追加、更新される。この結果、駐車場に関する情報を共有化し、常に最新の情報に基づいて、駐車希望時間に駐車可能な駐車場を検索することが可能となる。
【００１８】
請求項６に記載の発明によれば、自動車の種類に応じて駐車可能な駐車場が検索されるため、自動車で目的地に行く際には、より確実に駐車できる駐車場の位置を入手することができる。
【００１９】
請求項７に記載の発明によれば、位置表示手段によって、検索された駐車場の位置が地図上に表示されるため、自動車で目的地に行く際には、駐車場の位置を目視によって確実かつ容易に確認することができる。
【発明を実施するための最良の形態】
【００２０】
以下、この発明を図示の実施の形態に基づいて説明する。
【００２１】
（実施の形態１）
図１は、この実施の形態に係る駐車場検索システム１の概略構成図である。この駐車場検索システム１は、自動車で目的地に行く際に、目的地近辺の駐車場を検索するシステムであり、この実施の形態では、電力会社の作業員などが自動車Ｃ１〜Ｃｎで需要家宅（目的地）Ｈ１〜Ｈｎを訪問する場合を例にして説明する。駐車場検索システム１は、作業員などが操作・視聴する検索端末２と、データセンタなどに設置された駐車情報サーバ３と、自動車Ｃ１〜Ｃｎとを備え、通信網Ｎを介して、検索端末２と駐車情報サーバ３、および駐車情報サーバ３と自動車Ｃ１〜Ｃｎとが通信可能に接続されている。
【００２２】
検索端末２は、パソコンから構成され、この実施の形態では主として、入力手段と、通信手段と、表示手段として機能する。すなわち、入力手段として、駐車場Ｐ１〜Ｐｎを検索するための検索条件を入力する。ここで、検索条件として、行先の需要家Ｈ１〜Ｈｎの契約番号（識別情報）に加え、必要に応じて駐車希望時間（駐車希望開始時刻）や自動車の種類を入力する。また、通信手段として、入力手段によって入力された検索条件を駐車情報サーバ３に送信するとともに、駐車情報サーバ３から検索結果を受信する。そして、表示手段として、駐車情報サーバ３から受信した検索結果をディスプレイに表示するものである。このような検索端末２は、電力会社の各営業所に設置されている。
【００２３】
駐車情報サーバ３は、検索端末２から受信した検索条件に基づいて駐車場Ｐ１〜Ｐｎを検索したり、後述する自動車Ｃ１〜Ｃｎからのリアルタイム情報に基づいてデータベースを構築（追加、更新）したりするサーバである。この駐車情報サーバ３は、図２に示すように、契約情報データベース（目的地情報記憶部）３１と、位置情報データベース３２と、駐車場データベース（第１の駐車データベース、第２の駐車データベース）３３と、通信部３４と、記憶部３５と、検索プログラム（検索手段）３６と、位置表示プログラム（位置表示手段）３７と、これらを制御などする中央制御部３８とを備えている。
【００２４】
契約情報データベース３１は、需要家Ｈ１〜Ｈｎの契約番号ごとに、当該需要家Ｈ１〜Ｈｎの情報が記憶されたデータベースであり、氏名や連絡先などの他に、当該需要家宅Ｈ１〜Ｈｎに引込線を接続している電柱Ｄ１〜Ｄｎ（引込柱）の電柱番号（引込柱番号）が記憶されている。
【００２５】
位置情報データベース３２は、電柱Ｄ１〜Ｄｎの位置と駐車場Ｐ１〜Ｐｎの位置とを含む地理情報（位置情報）を記憶したデータベースである。すなわち、各電柱Ｄ１〜Ｄｎおよび各駐車場Ｐ１〜Ｐｎの経緯、緯度が記憶され、図３に示すように、各需要家Ｈ１〜Ｈｎの位置を示す地図上に各電柱Ｄ１〜Ｄｎおよび各駐車場Ｐ１〜Ｐｎを表示した地図データが記憶されている。さらに、電柱Ｄ１〜Ｄｎごとに、引込線を接続しているすべての需要家Ｈ１〜Ｈｎが記憶されている。つまり、需要家Ｈ１〜Ｈｎが電柱Ｄ１〜Ｄｎごとにグループ化され、需要家Ｈ１〜Ｈｎには、駐車場Ｐ１〜Ｐｎも含まれている。
【００２６】
このような位置情報データベース３２は、駐車場Ｐ１〜Ｐｎが設置、撤去されるたびに、最新情報に構築されるようになっている。すなわち、駐車場Ｐ１〜Ｐｎを新たに設置する場合、電力を使用するために電力会社に電力使用の申し込みをする必要があり、この際に、申し出の住所に基づいて、駐車場Ｐ１〜Ｐｎに引込線を接続する電柱Ｄ１〜Ｄｎが決められる。そして、新たな駐車場Ｐ１〜Ｐｎとその電柱Ｄ１〜Ｄｎとが位置情報データベース３２に追加・更新される。同様に、駐車場Ｐ１〜Ｐｎを撤去する場合にも、電力会社に契約解除の届出があり、これにより当該駐車場Ｐ１〜Ｐｎの情報が位置情報データベース３２から削除されるものである。また、各駐車場Ｐ１〜Ｐｎには、識別情報としての駐車場番号が付与されている。
【００２７】
駐車場データベース３３は、各駐車場Ｐ１〜Ｐｎの情報が記憶されたデータベースであり、図４に示すように、駐車場番号３３１ごとに、空車時間帯３３２、満車時間帯３３３、駐車可能車型３３４、注意事項３３５、その他３３６が記憶されている。そして、空車時間帯３３２には、当該駐車場Ｐ１〜Ｐｎが比較的空車となっている時間帯が記憶され、満車時間帯３３３には、当該駐車場Ｐ１〜Ｐｎが比較的満車となっている時間帯が記憶されている。駐車可能車型３３４には、当該駐車場Ｐ１〜Ｐｎに駐車可能な自動車の大きさ（大型、普通、小型など）などの種類が記憶され、注意事項３３５には、当該駐車場Ｐ１〜Ｐｎのゲートの閉鎖時間帯などの利用上の注意事項が記憶されている。
【００２８】
このような駐車場データベース３３のデータ（情報）は、自動車Ｃ１〜Ｃｎからのリアルタイム情報などに基づいて、最新情報に構築されるようになっている。すなわち、自動車Ｃ１〜Ｃｎが駐車場Ｐ１〜Ｐｎに駐車した場合には、自動車Ｃ１〜Ｃｎの位置、つまり駐車場Ｐ１〜Ｐｎの位置と、駐車時間と、駐車可の旨とを含むリアルタイム情報が送信される。そして、このリアルタイム情報に基づいて、当該駐車場Ｐ１〜Ｐｎの空車時間帯３３２を更新・変更する。この際、駐車（空車）時刻ごとに駐車の実績（駐車回数）に応じて強弱（ポイント）を設ける。これにより、どの時間帯が最も空車率が高いか判定できるものである。また、自動車Ｃ１〜Ｃｎが駐車場Ｐ１〜Ｐｎに駐車できなかった場合には、自動車Ｃ１〜Ｃｎ（駐車場Ｐ１〜Ｐｎ）の位置と、駐車を試みた時間と、駐車不可の旨とを含むリアルタイム情報が送信される。そして、このリアルタイム情報に基づいて、当該駐車場Ｐ１〜Ｐｎの満車時間帯３３３を更新・変更する。この際、駐車を試みた時刻（満車時刻）ごとに満車の実績に応じて強弱を設ける。これにより、どの時間帯が最も満車率が高いか判定できるものである。
【００２９】
同様に、駐車可能車型３３４や注意事項３３５も、自動車Ｃ１〜Ｃｎからのリアルタイム情報などに基づいて、更新・変更される。すなわち、当該駐車場Ｐ１〜Ｐｎに駐車可能な自動車の種類や、当該駐車場Ｐ１〜Ｐｎの利用上の注意事項などを含むリアルタイム情報が自動車Ｃ１〜Ｃｎから送信されると、このリアルタイム情報に基づいて、当該駐車場Ｐ１〜Ｐｎの駐車可能車型３３４や注意事項３３５を更新・変更するものである。また、駐車場データベース３３は、自動車Ｃ１〜Ｃｎからのリアルタイム情報のみならず、その他の外部入力によっても更新・変更されるようになっている。
【００３０】
通信部３４は、通信網Ｎを介して外部と通信するための通信装置であり、検索端末２から検索条件を受信したり、自動車Ｃ１〜Ｃｎからリアルタイム情報を受信したり、あるいは、検索端末２に検索結果を送信したりするものである。記憶部３５は、受信した検索条件やリアルタイム情報を一時的に記憶などするためのメモリである。
【００３１】
検索プログラム３６は、入力された検索条件を満たす駐車場Ｐ１〜Ｐｎを位置情報データベース３２から検索するプログラムであり、図５に示すフローチャートに基づいている。ここで、検索条件として、行先の需要家Ｈ１〜Ｈｎの契約番号と、必要に応じて駐車希望時間や自動車の種類が含まれている。まず、当該契約番号に対応する電柱番号を契約情報データベース３１から取得し（ステップＳ１）、当該電柱番号の電柱Ｄ１〜Ｄｎから所定範囲内に位置する駐車場Ｐ１〜Ｐｎを検索する。すなわち、当該電柱Ｄ１〜Ｄｎから引込線を接続している需要家Ｈ１〜Ｈｎを位置情報データベース３２から取得し（ステップＳ２）、取得した需要家Ｈ１〜Ｈｎに駐車場Ｐ１〜Ｐｎを含むか否かを判断する（ステップＳ３）。このように、この実施の形態では、同一の電柱Ｄ１〜Ｄｎから引込線が接続されている需要家Ｈ１〜Ｈｎ（駐車場Ｐ１〜Ｐｎを含む）を所定範囲として検索しているが、１つの電柱Ｄ１〜Ｄｎを中心とする半径距離を所定範囲として検索するようにしてもよい。
【００３２】
次に、駐車場Ｐ１〜Ｐｎを含まない場合には、当該電柱Ｄ１〜Ｄｎに隣接する電柱Ｄ１〜Ｄｎから引込線を接続している需要家Ｈ１〜Ｈｎを位置情報データベース３２から取得し（ステップＳ４）、ステップＳ３に戻る。すなわち、駐車場Ｐ１〜Ｐｎを検索するまで、検索基準地となる電柱Ｄ１〜Ｄｎを順次移して（変えて）、当該電柱Ｄ１〜Ｄｎに接続されている駐車場Ｐ１〜Ｐｎ、つまり所定範囲内に位置する駐車場Ｐ１〜Ｐｎを検索するものである。一方、駐車場Ｐ１〜Ｐｎを含む場合（ステップＳ３で「Ｙ」の場合）には、当該駐車場Ｐ１〜Ｐｎが時間的要件を満たすか否かを判断する（ステップＳ５）。すなわち、検索条件に駐車希望時間が含まれている場合に、当該駐車場Ｐ１〜Ｐｎの空車時間帯３３２と満車時間帯３３３とを駐車場データベース３３から取得し、空車時間帯３３２と満車時間帯３３３とに基づいて、駐車希望時間に駐車できる可能性が高いか（駐車可能か）否かを判断する。なお、検索条件に駐車希望時間が含まれていない場合には、時間的要件を満たすと判断する。
【００３３】
その結果、時間的要件を満たず、当該電柱Ｄ１〜Ｄｎに接続されている他の駐車場Ｐ１〜Ｐｎがある場合（ステップＳ８で「Ｙ」の場合）には、ステップＳ５に戻り、当該他の駐車場Ｐ１〜Ｐｎに対して同様の判断を行う。また、他の駐車場Ｐ１〜Ｐｎがない場合（ステップＳ８で「Ｎ」の場合）には、ステップＳ４に進み、上記と同様な処理を繰り返す。一方、時間的要件を満たす場合（ステップＳ５で「Ｙ」の場合）には、当該駐車場Ｐ１〜Ｐｎが車型要件を満たすか否かを判断する（ステップＳ６）。すなわち、検索条件に自動車の種類が含まれている場合に、当該駐車場Ｐ１〜Ｐｎの駐車可能車型３３４を駐車場データベース３３から取得し、駐車可能車型３３４に基づいて、当該自動車Ｃ１〜Ｃｎが駐車可能か否かを判断する。なお、検索条件に自動車の種類が含まれていない場合には、車型要件を満たすと判断する。その結果、車型要件を満たす場合には、当該駐車場Ｐ１〜Ｐｎの駐車場番号３３１を記憶部３５に記憶する（ステップＳ７）。一方、車型要件を満たさない場合には、ステップＳ８に進み、上記と同様な処理を繰り返すものである。
【００３４】
このように、最初に検索した駐車場Ｐ１〜Ｐｎが時間的要件と車型要件とを満たす場合（ステップＳ６で「Ｙ」の場合）には検索を終了しているが、次のようにしてもよい。すなわち、当該電柱Ｄ１〜Ｄｎに接続されている他の駐車場Ｐ１〜Ｐｎがある場合には、その駐車場Ｐ１〜Ｐｎが時間的要件と車型要件とを満たすか否かをも判断し、満たす場合には、最も駐車可能性が高く、かつ需要家宅Ｈ１〜Ｈｎから近い駐車場Ｐ１〜Ｐｎを選出するようにしてもよい。
【００３５】
位置表示プログラム３７は、検索プログラム３６によって検索された駐車場Ｐ１〜Ｐｎの位置を地図上に表示するプログラムである。すなわち、検索された駐車場Ｐ１〜Ｐｎと行先の需要家Ｈ１〜Ｈｎとを含む地域範囲の地図を位置情報データベース３２から取得し、図６に示すように、検索された駐車場Ｐ１と行先の需要家宅Ｈ１のみをシンボル（絵図）で表示する。そして、この地図データが検索端末２に送信され、検索端末２の表示手段に表示されるものである。ここで、図６では、行先の需要家宅Ｈ１に対して、駐車場Ｐ１が検索された場合を示す。
【００３６】
自動車Ｃ１〜Ｃｎは、当該自動車Ｃ１〜Ｃｎの位置を検出するＧＰＳ受信装置（位置検出手段）と、外部と通信するための通信装置と、これらを制御などするコントロールパネルとを備えている。ＧＰＳ受信部は、ＧＰＳ（Ｇｌｏｂａｌ  Ｐｏｓｉｔｉｏｎｉｎｇ  Ｓｙｓｔｅｍ）において衛星から時刻信号電波を受信して現在地の経緯と緯度とを演算するものであり、通信装置は、主として駐車情報サーバ３にリアルタイム情報を送信するためのものである。コントロールパネルは、メッセージなどを入力するタッチパネルと時計とを備え、ＧＰＳ受信部によって検出された位置と、現在時刻と、入力されたメッセージと、送信指令とを通信装置に送る。そして、自動車Ｃ１〜Ｃｎが駐車場Ｐ１〜Ｐｎに駐車すると、ＧＰＳ受信部によって検出された当該自動車Ｃ１〜Ｃｎ（駐車場Ｐ１〜Ｐｎ）の位置と、駐車時刻（現在時刻）と、駐車可の旨とを含むリアルタイム情報を、通信装置によって駐車情報サーバ３に送信する。また、自動車Ｃ１〜Ｃｎが駐車場Ｐ１〜Ｐｎに行って駐車できなかった場合には、自動車Ｃ１〜Ｃｎ（駐車場Ｐ１〜Ｐｎ）の位置と、駐車を試みた時刻（現在時刻）と、駐車不可の旨とを含むリアルタイム情報を駐車情報サーバ３に送信する。さらに、コントロールパネルのタッチパネルからメッセージを入力することで、駐車場Ｐ１〜Ｐｎに駐車可能な自動車の種類や、駐車場Ｐ１〜Ｐｎの利用上の注意事項などを含むリアルタイム情報を駐車情報サーバ３に送信するものである。
【００３７】
次に、このような構成の駐車場検索システム１の処理動作を図７に示すフローチャートに基づいて説明する。
【００３８】
まず、駐車情報サーバ３が自動車Ｃ１〜Ｃｎからリアルタイム情報を受信すると（ステップＳ１１）、上記のようにして、駐車場データベース３３のデータが最新情報に構築されていく（ステップＳ１２）。一方、電力会社の作業員などが、検索端末２を操作して駐車場Ｐ１〜Ｐｎの検索条件を入力し（ステップＳ１３）、検索条件を含む検索要求を駐車情報サーバ３に送信する（ステップＳ１４）。この検索要求を受けて、駐車情報サーバ３で検索プログラム３６が起動され（ステップＳ１５）、上記のようにして、受信した検索条件を満たす駐車場Ｐ１〜Ｐｎが検索される。続いて、位置表示プログラム３７が起動され（ステップＳ１６）、上記のように、検索された駐車場Ｐ１〜Ｐｎと行先の需要家宅Ｈ１〜Ｈｎとが地図上にシンボル表示される。
【００３９】
次に、この地図データが検索結果として検索端末２に送信され（ステップＳ１７）、検索端末２の表示手段に当該地図が表示される（ステップＳ１８）。これにより、作業員などは行先近辺の駐車場Ｐ１〜Ｐｎの位置を知得し、行先の需要家宅Ｈ１〜Ｈｎに向かう。ここで、検索された駐車場Ｐ１〜Ｐｎの注意事項３３５に注意事項が記憶されている場合には、その注意事項も検索結果として検索端末２に送信され、検索端末２の表示手段に表示される。そして、当該作業者などが当該駐車場Ｐ１〜Ｐｎに駐車できた場合には、当該作業者などの自動車Ｃ１〜Ｃｎから、上記のように、駐車可の旨などを含むリアルタイム情報が駐車情報サーバ３に送信され、駐車できなかった場合には、駐車不可の旨などを含むリアルタイム情報が駐車情報サーバ３に送信される（ステップＳ１９）。これにより、駐車場データベース３３のデータが追加、更新される（ステップＳ２０）ものである。
【００４０】
以上のように、本駐車場検索システム１によれば、行先の需要家Ｈ１〜Ｈｎの契約番号などを含む検索条件を検索端末２に入力することで、当該需要家宅Ｈ１〜Ｈｎから所定範囲内に位置し、検索条件を満たす駐車場Ｐ１〜Ｐｎが検索される。つまり、需要家Ｈ１〜Ｈｎの契約番号などを入力するだけで、需要家宅Ｈ１〜Ｈｎ近辺の駐車場Ｐ１〜Ｐｎの位置を手軽に入手することができる。また、複数のサーバや携帯電話などを要しないため、簡単な構成となる。
【００４１】
しかも、検索条件として駐車希望時間や自動車Ｃ１〜Ｃｎの種類を入力することで、駐車希望時間に駐車可能で、当該種類の自動車Ｃ１〜Ｃｎが駐車可能な駐車場Ｐ１〜Ｐｎが検索されるため、より確実に駐車できる駐車場Ｐ１〜Ｐｎの位置を入手することができる。さらに、検索された駐車場Ｐ１〜Ｐｎと行先の需要家宅Ｈ１〜Ｈｎとの位置が地図上にシンボル表示されるため、駐車場Ｐ１〜Ｐｎと需要家宅Ｈ１〜Ｈｎとの位置を目視によって確実かつ容易に確認することができる。
【００４２】
また、自動車Ｃ１〜Ｃｎが駐車場Ｐ１〜Ｐｎに駐車したり、駐車できなかったりするたびに、駐車場データベース３３が追加、更新されるため、確実かつリアルタイムに駐車場データベース３３内の情報が追加、更新される。この結果、各作業員などが有する情報を共有化し、常に最新の情報に基づいて、検索条件を満たす駐車場Ｐ１〜Ｐｎを検索することが可能となる。さらには、検索プログラム３６において、検索基準地となる電柱Ｄ１〜Ｄｎを順次移して駐車場Ｐ１〜Ｐｎを検索するため、つまり、１つの電柱Ｄ１〜Ｄｎに接続されている需要家宅Ｈ１〜Ｈｎ（駐車場Ｐ１〜Ｐｎを含む）のグループごとに検索するため、より効率的な検索が可能となる。
【００４３】
（実施の形態２）
図８は、この実施の形態に係る駐車場検索システム１１の概略構成ブロック図であり、実施の形態１と同等の構成については、同一符号を付して説明する。
【００４４】
この駐車場検索システム１１は、既存の引込柱台帳システム（設備台帳システム）１２に、駐車場データベース３３と、検索プログラム３６と、位置表示プログラム３７とを備えたものである。
【００４５】
引込柱台帳システム１２は、配電系統（配電状態）を確認、計画などするためのシステムであり、広く一般に使用されているシステムであるため、ここでは詳細な説明を省略するが、概略次のようなシステムである。すなわち、電柱Ｄ１〜Ｄｎの電柱番号ごとに、当該電柱Ｄ１〜Ｄｎから引込線が接続されているすべての需要家Ｈ１〜Ｈｎの契約番号が記憶され、需要家Ｈ１〜Ｈｎには駐車場Ｐ１〜Ｐｎが含まれている。また、電柱Ｄ１〜Ｄｎの位置と需要家宅Ｈ１〜Ｈｎの位置とを含む地理情報（地図情報）を記憶した地理情報データベースを備えている。そして、需要家Ｈ１〜Ｈｎの契約番号を入力すると、当該契約番号に対応する電柱番号を出力したり、電柱番号を入力すると、当該電柱番号の電柱Ｄ１〜Ｄｎに接続されているすべての需要家Ｈ１〜Ｈｎを出力したりするものである。
【００４６】
このような引込柱台帳システム１２に、駐車場データベース３３と、検索プログラム３６と、位置表示プログラム３７とが備えられている。そして、検索条件を入力すると、検索プログラム３６が起動され、地理情報データベースと駐車場データベース３３とに基づいて、検索条件を満たす駐車場Ｐ１〜Ｐｎが検索される。続いて、位置表示プログラム３７が起動され、検索された駐車場Ｐ１〜Ｐｎと行先の需要家宅Ｈ１〜Ｈｎとが地図上にシンボル表示されるものである。
【００４７】
以上のように、本駐車場検索システム１１によれば、既存の引込柱台帳システム１２を活用して、行先の需要家宅Ｈ１〜Ｈｎ近辺の駐車場Ｐ１〜Ｐｎを手軽に検索することが可能となる。すなわち、引込柱台帳システム１２に、駐車場データベース３３と２つのプログラム３６、３７を備えるだけの簡単な構成で、本駐車場検索システム１１を構築し、駐車場Ｐ１〜Ｐｎの位置を入手することが可能となる。
【００４８】
以上、この発明の実施の形態１、２について説明したが、具体的な構成は、これらの実施の形態に限られるものではなく、この発明の要旨を逸脱しない範囲の設計の変更等があっても、この発明に含まれる。例えば、実施の形態１、２では、検索プログラム３６において、検索基準地となる電柱Ｄ１〜Ｄｎを順次移して、当該電柱Ｄ１〜Ｄｎに接続されている駐車場Ｐ１〜Ｐｎを検索しているが、次のように検索してもよい。例えば、契約番号に対応する電柱Ｄ１〜Ｄｎから所定の距離内のすべての駐車場Ｐ１〜Ｐｎに対して、上記のような時間的要件と車型要件とを満たすか否かを判断する。そして、要件を満たす複数の駐車場Ｐ１〜Ｐｎが検索された場合には、最も駐車可能性が高く、かつ需要家宅Ｈ１〜Ｈｎから近い駐車場Ｐ１〜Ｐｎを選出する。あるいは、要件を満たす駐車場Ｐ１〜Ｐｎが検索されるまで、同一電柱Ｄ１〜Ｄｎからの所定範囲（半径距離）を順次拡大する。これにより、需要家宅Ｈ１〜Ｈｎに引込線を接続している電柱Ｄ１〜Ｄｎから最も近い駐車場Ｐ１〜Ｐｎが検索され、行き先である需要家宅Ｈ１〜Ｈｎから最も近い駐車場Ｐ１〜Ｐｎを利用することが可能となる。
【００４９】
また、実施の形態１では、駐車情報サーバ３に、各データベース３１〜３３や各プログラム３６、３７などを備えているが、一部または全部を検索端末２などのコンピュータに備えるようにしてもよい。すなわち、例えば、コンピュータを、行先の需要家Ｈ１〜Ｈｎの契約番号に対して当該需要家宅Ｈ１〜Ｈｎに引込線を接続している電柱Ｄ１〜Ｄｎの電柱番号が記憶された目的地情報記憶部（契約情報データベース３１）と、電柱Ｄ１〜Ｄｎの位置と駐車場Ｐ１〜Ｐｎの位置とを含む位置情報を記憶した位置情報データベース（位置情報データベース３２）と、入力された契約番号に対応する電柱番号を目的地情報記憶部から検索し、当該電柱番号の電柱Ｄ１〜Ｄｎから所定範囲内に位置する駐車場Ｐ１〜Ｐｎを位置情報データベースから検索する検索手段（検索プログラム３６）として機能させるための駐車場検索プログラムを、検索端末２などにインストールするようにしてもよい。これにより、汎用のコンピュータを用いて、駐車場Ｐ１〜Ｐｎを検索することが可能となる。
【００５０】
ところで、実施の形態１、２では、引込柱が電柱の場合について説明したが、通信回線を架設するための通信柱でもよく、また、目的地の識別情報として、需要家Ｈ１〜Ｈｎの契約番号以外の情報を用いてもよいことは勿論である。
【図面の簡単な説明】
【００５１】
【図１】この発明の実施の形態１に係る駐車場検索システムの概略構成図である。
【図２】図１の駐車場検索システムにおける駐車情報サーバの概略構成ブロック図である。
【図３】図２の駐車情報サーバの位置情報データベースに記憶されている地図データの一例を示す図である。
【図４】図２の駐車情報サーバにおける駐車場データベースのデータ構成図である。
【図５】図２の駐車情報サーバにおける検索プログラムのフローチャートである。
【図６】図２の駐車情報サーバにおける位置表示プログラムによって作成された地図データの一例を示す図である。
【図７】図１の駐車場検索システムの処理動作を示すフローチャートである。
【図８】この発明の実施の形態２に係る駐車場検索システムの概略構成ブロック図である。
【符号の説明】
【００５２】
１        駐車場検索システム
２        検索端末
３        駐車情報サーバ
３１            契約情報データベース（目的地情報記憶部）
３２            位置情報データベース
３３            駐車場データベース（第１、第２の駐車データベース）
３４            通信部
３５            記憶部
３６            検索プログラム（検索手段）
３７            位置表示プログラム（位置表示手段）
３８            中央制御部
Ｃ１〜Ｃｎ      自動車
Ｐ１〜Ｐｎ  駐車場
Ｈ１〜Ｈｎ      需要家宅（目的地）
Ｄ１〜Ｄｎ  電柱（引込柱）
Ｎ        通信網
【図１】
2008090364.tif 000003
【図２】
2008090364.tif 000004
【図３】
2008090364.tif 000005
【図４】
2008090364.tif 000006
【図５】
2008090364.tif 000007
【図６】
2008090364.tif 000008
【図７】
2008090364.tif 000009
【図８】
2008090364.tif 000010